(57)【要約】    【課題】        コンテンツファイルと付加情報に不整合があった場合でも、正しくコンテンツファイルが閲覧できるようにすること。    【解決手段】    本発明は、コンテンツファイルに関する情報の一覧であるコンテンツ一覧と、コンテンツファイルに付加される付加情報の一覧である付加情報一覧からコンテンツ一覧に付加情報を付与した付加情報付一覧を生成するステップと、付加情報付一覧からコンテンツファイルに関する情報と付加情報とを対応付けた一覧表示画面を生成するステップと、付加情報付一覧から選択されたコンテンツファイルに関する情報に対するコンテンツファイルを取得するステップと、を具備し、付加情報がないコンテンツファイルには、当該コンテンツファイルに対応する予め用意した付加情報がない旨の情報を付与する。  【選択図】        図１
2005346504.tif 000002
【特許請求の範囲】
【請求項１】
コンテンツファイルに関する情報の一覧であるコンテンツ一覧と、前記コンテンツファイルに付加される付加情報の一覧である付加情報一覧とから、前記コンテンツ一覧に前記付加情報を付与した付加情報付一覧を生成する一覧情報生成部と、前記付加情報付一覧から前記コンテンツファイルに関する情報と前記付加情報とを対応付けた一覧表示画面を生成する一覧情報出力部と、前記付加情報付一覧から選択された前記コンテンツファイルに関する情報に対する前記コンテンツファイルを取得するコンテンツ出力部と、を具備し、
前記付加情報が無い前記コンテンツファイルには、当該コンテンツファイルに対応する予め用意した前記付加情報が無い旨の情報を付与することを特徴としたファイル管理装置。
【請求項２】
前記付加情報付一覧には、前記コンテンツファイルに関する情報に対する前記付加情報の参照先情報が記述されていることを特徴とする請求項１記載のファイル管理装置。
【請求項３】
前記コンテンツファイルおよび前記付加情報を外部メモリから取得し、前記外部メモリが装着されたタイミングで前記付加情報付一覧を生成することを特徴とする請求項１または請求項２記載のファイル管理装置。
【請求項４】
前記コンテンツファイルに関する情報は前記コンテンツファイル名を少なくとも有し、前記付加情報は前記コンテンツファイルのタイトルを少なくとも有し、前記コンテンツファイルに前記付加情報が無い場合には、前記一覧表示画面に当該コンテンツファイルの前記タイトルに対応する予め用意した前記付加情報が無い旨の情報を付与することを特徴とする請求項１から請求項３のいずれかに記載のファイル管理装置。
【請求項５】
前記コンテンツ一覧に記載された情報を用いて、前記付加情報付一覧の記載順を並び替えることを特徴とする請求項１から請求項４のいずれかに記載のファイル管理装置。
【請求項６】
前記付加情報一覧に記載された情報を用いて、前記付加情報付一覧の記載順を並び替えることを特徴とする請求項１から請求項４のいずれかに記載のファイル管理装置。
【請求項７】
コンテンツファイルに関する情報の一覧であるコンテンツ一覧を取得するステップと、前記コンテンツファイルに付加される付加情報の一覧である付加情報一覧を取得するステップと、前記コンテンツ一覧と前記付加情報一覧から前記コンテンツ一覧に前記付加情報を付与した付加情報付一覧を生成するステップと、前記付加情報付一覧から前記コンテンツファイルに関する情報と前記付加情報とを対応付けた一覧表示画面を生成するステップと、前記付加情報付一覧から選択された前記コンテンツファイルに関する情報に対する前記コンテンツファイルを取得するステップと、を具備し、
前記付加情報が無い前記コンテンツファイルには、当該コンテンツファイルに対応する予め用意した前記付加情報が無い旨の情報を付与することを特徴としたファイル管理方法。
【発明の詳細な説明】
【技術分野】
【０００１】
本発明は、コンテンツファイルと、そのコンテンツファイルに対応付けられた付属情報が記載されているファイルのファイル管理装置およびその方法に関する。
【背景技術】
【０００２】
画像、文書などの電子ファイル（コンテンツファイル）は、情報を容易にやりとりする手段として欠かせないものとなっている。そのため、現在では多種多様な電子ファイルが巷にあふれ、ディレクトリ毎にファイルを分類したり、ファイル名順にファイル一覧を並べ替えるなど、分類方法が工夫されている。
【０００３】
例えば、ファイルシステムを用いた分類方法がある。ファイルシステムは、コンテンツファイル毎にディレクトリエントリ部にファイル名や作成日時等の情報を付与することにより、コンテンツファイルを管理するシステムである。そして、ファイルシステムに対して、ファイル名や作成日時などディレクトリエントリ部に記載されている情報を検索条件として入力することにより、検索条件に対応するコンテンツファイルを検索できる。
【０００４】
また、ファイルシステムを用いた検索では、ディレクトリエントリ部に何も記載されていないコンテンツファイルがあったとしても、検索条件に対応したコンテンツファイルを検索できるようになっている。
【０００５】
しかし、ファイルシステムのディレクトエントリ部に記載する情報は、ファイル名や作成日時など、コンテンツファイルの内容に依存する情報では無い。このため、コンテンツファイルの内容に依存する情報や、ユーザの独自の情報で分類を行いたい場合は、コンテンツファイルとファイルシステムだけの情報では分類は難しい。
【０００６】
そこで、コンテンツファイルの内容に依存する情報やユーザ独自の情報と、コンテンツファイルとの関連付けを別ファイルに記載することで、これらの情報を用いたコンテンツファイルの分類を可能とする方法がある（例えば、特許文献１、特許文献２参照）。
【０００７】
例えば、特許文献１に開示されている方法では、送信側で有効期限情報を格納したファイルと、データファイルとの関連付けを行い、受信側でそれを解読できる仕組みを作ることにより、有効期限をすぎたファイルを削除できるようにしている。
【０００８】
また、特許文献２に開示されている方法では、フォルダ毎にファイルと対応付けた管理情報をひとつのファイルに保存することにより、複数のファイルを容易に管理できるようにしている。
【特許文献１】特開平１１−１２００６４号公報
【特許文献２】特開２００２−１３２５５６号公報
【発明の開示】
【発明が解決しようとする課題】
【０００９】
しかしながら、従来の方法では、コンテンツファイルとコンテンツの付属情報が保存されているファイルとで不整合がある場合、不整合があるコンテンツファイルについては、正しく再生できなかったり、ファイル自体が閲覧できなくなるという問題がある。
【００１０】
例えば、コンテンツファイルへ付与したタイトル情報をコンテンツファイルとは別ファイルに保存していた場合、コンテンツファイルがあるのにタイトル情報が存在しなかった場合は、ファイル一覧情報の中に該当ファイルがぬけおち、コンテンツファイル自体が閲覧できなくなってしまったり、コンテンツファイルが無いのにタイトル情報が存在する場合は、あたかもコンテンツファイルが存在するかのように、ファイル一覧情報の中にタイトルが表示されるなどの問題がある。
【００１１】
本発明は、上記問題を解決するために、コンテンツファイルと付加情報に不整合があった場合でも、正しくコンテンツファイルが閲覧できるファイル管理装置およびその方法を提供することを目的とする。
【課題を解決するための手段】
【００１２】
本発明のファイル管理装置は、コンテンツファイルに関する情報の一覧であるコンテンツ一覧と、前記コンテンツファイルに付加される付加情報の一覧である付加情報一覧とから、前記コンテンツ一覧に前記付加情報を付与した付加情報付一覧を生成する一覧情報生成部と、前記付加情報付一覧から前記コンテンツファイルに関する情報と前記付加情報とを対応付けた一覧表示画面を生成する一覧情報出力部と、前記付加情報付一覧から選択された前記コンテンツファイルに関する情報に対する前記コンテンツファイルを取得するコンテンツ出力部と、を具備し、前記付加情報が無い前記コンテンツファイルには、当該コンテンツファイルに対応する予め用意した前記付加情報が無い旨の情報を付与する。
【００１３】
これにより、コンテンツファイルと付加情報に不整合があった場合、具体的には、付加情報が無いコンテンツファイルに、当該コンテンツファイルに対応する予め用意した付加情報が無い旨の情報を付与できる。この結果、正しいファイル一覧情報を生成できるので、正しくコンテンツファイルが閲覧できる。
【００１４】
本発明のファイル管理装置は、上記ファイル管理装置において、前記付加情報付一覧には、前記コンテンツファイルに関する情報に対する前記付加情報の参照先情報が記述されている。
【００１５】
これにより、付加情報付一覧の容量を減らすことができるので、携帯電話のように少容量の記憶部しか持てない構成に適する。
【００１６】
本発明のファイル管理装置は、上記ファイル管理装置において、前記コンテンツファイルおよび前記付加情報を外部メモリから取得し、前記外部メモリが装着されたタイミングで前記付加情報付一覧を生成する。
【００１７】
これにより、外部メモリが挿されたタイミングで正しい付加情報付一覧を生成することが可能となる。
【００１８】
本発明のファイル管理装置は、上記ファイル管理装置において、前記コンテンツファイルに関する情報は前記コンテンツファイル名を少なくとも有し、前記付加情報は前記コンテンツファイルのタイトルを少なくとも有し、前記コンテンツファイルに前記付加情報が無い場合には、前記一覧表示画面に当該コンテンツファイルの前記タイトルに対応する予め用意した前記付加情報が無い旨の情報を付与する。
【００１９】
これにより、ユーザは付加情報の無いことをタイトル情報から認識できる。タイトル情報は、ユーザがコンテンツファイルの内容を把握するのに重要な部分であるので、この部分に付加情報の無い旨の表示をすることは、ユーザに付加情報が無い旨を通知するのに非情に効果的である。
【００２０】
本発明のファイル管理装置は、上記ファイル管理装置において、前記コンテンツ一覧に記載された情報を用いて、前記付加情報付一覧の記載順を並び替える。
【００２１】
これにより、コンテンツ一覧に記載された情報順に、一覧情報を適切な並び順に変えることが可能となる。
【００２２】
本発明のファイル管理装置は、上記ファイル管理装置において、前記付加情報一覧に記載された情報を用いて、前記付加情報付一覧の記載順を並び替える。
【００２３】
これにより、付加情報一覧に記載された情報順に、一覧情報を適切な並び順に変えることが可能となる。
【００２４】
本発明のファイル管理方法は、コンテンツファイルに関する情報の一覧であるコンテンツ一覧を取得するステップと、前記コンテンツファイルに付加される付加情報の一覧である付加情報一覧を取得するステップと、前記コンテンツ一覧と前記付加情報一覧から前記コンテンツ一覧に前記付加情報を付与した付加情報付一覧を生成するステップと、前記付加情報付一覧から前記コンテンツファイルに関する情報と前記付加情報とを対応付けた一覧表示画面を生成するステップと、前記付加情報付一覧から選択された前記コンテンツファイルに関する情報に対する前記コンテンツファイルを取得するステップと、を具備し、前記付加情報が無い前記コンテンツファイルには、当該コンテンツファイルに対応する予め用意した前記付加情報が無い旨の情報を付与する。
【発明の効果】
【００２５】
本発明によれば、コンテンツファイルと付加情報に不整合があった場合でも、正しくコンテンツファイルが閲覧できる。
【発明を実施するための最良の形態】
【００２６】
以下、本発明の一実施の形態にかかるファイル管理装置ついて、添付図面を用いて説明する。まず、図１を用いて、本実施の形態にかかるファイル管理装置を備えた携帯電話について、説明する。図１は本実施の形態にかかる携帯電話の構成を示すブロック図である。
【００２７】
携帯電話１００は、アンテナ１０１によって電波を受信し、この受信信号を送受信部１０２で変復調処理をし、制御部１０３へ入力して符復号処理及び誤り訂正処理する。さらに、制御部１０３は出力信号をマイク・スピーカー１１９に送りスピーカーによって音声出力する。また、携帯電話１００は、マイク・スピーカー１１９のマイクによって入力された音声信号を、制御部１０３で符復号処理及び誤り訂正処理し、送受信部１０２に入力し変復調処理し、アンテナ１０１より送信する。
【００２８】
また、携帯電話１００は、アンテナ１０１によってコンテンツを電波により受信し、この受信信号を送受信部１０２で変復調処理をし、制御部１０３へ入力して符復号処理及び誤り訂正処理する。さらに、制御部１０３は出力信号を記憶部１０４に送りコンテンツとして格納する。
【００２９】
また、携帯電話１００にはテンキーなどの入力部１０５が設けられていて、電話番号などの各種情報を入力できるようになっている。
【００３０】
また、携帯電話１００には液晶モニタなどの表示部１０６が設けられていて、各種情報を表示できるようになっている。
【００３１】
また、携帯電話１００には外部１／Ｆ１０７が設けられていて、コンテンツファイルの一覧であるコンテンツファイル一覧２００やコンテンツファイル一覧２００に対する付加情報一覧３００などの情報を格納した外部メモリ１０８が装着されるようになっている。これにより、携帯電話１００にコンテンツファイル一覧２００や付加情報一覧３００を入力できる。
【００３２】
なお、コンテンツファイル一覧２００や付加情報一覧３００を、無線通信を用いて取得する形態であっても良い。
【００３３】
また、外部メモリ１０８や入力部１０５から付加情報を取得し、取得した付加情報から付加情報一覧３００を生成する形態であってもよい。
【００３４】
なお、コンテンツファイル一覧２００および付加情報一覧３００の詳細については、後述する。
【００３５】
また、携帯電話１００には、本発明の特徴であるファイル管理装置１１１が設けられている。
【００３６】
ファイル管理装置１１１には、外部メモリ１０８が装着されたことを検出する外部メモリ検出部１１２が設けられている。
【００３７】
一覧情報生成部１１５は、外部メモリ１０８から取得した、コンテンツファイル一覧２００と、付加情報一覧３００を用いて、付加情報を付与したコンテンツファイルの一覧である付加情報付一覧１１６を生成する。一覧情報生成部１１５は、付加情報付一覧１１６を記憶部１０４に送り、記憶部１０４が付加情報付一覧１１６を蓄積する。
【００３８】
なお、付加情報付一覧１１６の詳細については後述する。
【００３９】
また、ファイル管理装置１１１には、付加情報付一覧１１６を用いて、一覧表示画面を生成し、表示部１０６に出力する一覧情報出力部１１７が設けられている。一覧情報出力部１１７は、入力部１０５からの情報も加味して一覧表示画面を生成する。
【００４０】
なお、一覧表示画面の詳細については後述する。
【００４１】
また、ファイル管理装置１１１には、表示部１０６に表示された一覧表示画面を見たユーザが入力部１０５を用いて選択したコンテンツファイル一覧２００を外部メモリ１０８から抽出し、表示部１０６に表示するコンテンツ出力部１１８が設けられている。
【００４２】
次に、コンテンツファイル一覧２００の構成について図２を用いて説明する。
【００４３】
図２に示すコンテンツファイル一覧２００は、コンテンツファイルの識別番号であるファイル名２０１と、コンテンツファイルのデータ形式を示す拡張子２０２と、コンテンツファイルの更新時間である更新日時２０３と、ファイル名２０１に対応するデータがファイルであるかディレクトリであるかを示す種別情報２０４と、コンテンツファイルが読み取り専用であるかを示す読み取り専用情報２０５と、の組を複数格納している。
【００４４】
このように、コンテンツファイル一覧２００は、構成されている。また、コンテンツファイル一覧２００は、コンテンツファイルを識別するための情報は保有しているが、コンテンツファイルの具体的な内容に関する情報は持っていない。
【００４５】
次に、付加情報一覧３００の構成について図３を用いて説明する。
【００４６】
図３に示す付加情報一覧３００には、格納場所への参照情報であるディレクトリパス３０１と、付加情報一覧３００の内容を示す情報であるタイトル３０２と、付加情報一覧３００が保有するファイル数３０３が格納されている。
【００４７】
また、付加情報一覧３００には、コンテンツファイルのファイル名２０１と、付加情報としてコンテンツファイルの内容を示すタイトル３０５と、ファイルサイズ３０６と、を格納している。
【００４８】
このように、付加情報一覧３００には、コンテンツファイルの内容を示す付加情報が格納されている。
【００４９】
次に、付加情報付一覧１１６の構成について図４を用いて説明する。
【００５０】
図４に示す付加情報付一覧１１６には、コンテンツファイル一覧２００の情報であるファイル名２０１、拡張子２０２、更新日時２０３、種別情報２０４、読み取り専用情報２０５と、コンテンツファイルに対する付加情報へのパス（参照先情報）であるｐｏｉｎｔｅｒ４０６と、が対応付けられている。
【００５１】
具体的には、ｐｏｉｎｔｅｒ４０６は、付加情報一覧３００に格納された対応するファイルの付加情報へのパスである。また、ファイル名２０１に対応する付加情報が無い場合は、ｐｏｉｎｔｅｒ４０６には対応する付加情報が無い旨の情報が付与される。
【００５２】
このように、付加情報付一覧１１６は、構成されている。
【００５３】
なお、付加情報付一覧１１６にｐｏｉｎｔｅｒ４０６でなく、直接付加情報を付与する形態であっても良い。ただし、ｐｏｉｎｔｅｒ４０６を用いることにより、付加情報付一覧１１６の容量を減らすことができるので、携帯電話のように少容量の記憶部しか持てない構成に適する。
【００５４】
次に、一覧表示画面の構成について図５を用いて説明する。
【００５５】
図５に示す一覧表示画面５００は、ファイル番号５０１と、ファイル形式を示すアイコン５０５と、ファイルのタイトル名５０３と、ファイルが読み取り可能か否かを示す読取専用情報５０２と、で構成されている。
【００５６】
ファイル番号５０１は、コンテンツファイル一覧２００のファイル名２０１に対応するような番号になっている。なお、ファイル番号５０１がファイル名２０１である構成でも良い。
【００５７】
また、アイコン５０５は、コンテンツファイル一覧２００の拡張子２０２に対応したものになっている。
【００５８】
また、タイトル名５０３は、付加情報一覧３００のタイトル名３０５と対応している。
【００５９】
また、ここで着目すべき点は、図中５０６に示すように、付加情報一覧３００に付加情報が無いファイル、言い換えれば、付加情報付一覧１１６のｐｏｉｎｔｅｒ４０６に付加情報が無い旨が記載されているファイルに対応するタイトル名５０３には、デフォルトのタイトル名（図の例では、「無題」）が付与されていることである。
【００６０】
このように、一覧表示画面５００は、コンテンツ一覧と、付加情報一覧との対応が取れていない場合でも表示され、かつファイルに付加情報が無い旨の情報をタイトル名５０３の部分に表示する。タイトル名５０３は、ユーザがコンテンツファイルの内容を把握するのに重要な部分であるので、この部分に付加情報の無い旨の表示をすることは、ユーザに付加情報が無い旨を通知するのに非情に効果的である。
【００６１】
また、読み取り情報専用情報５０２は、付加情報付一覧１１６の読み取り専用情報２０５と対応している。例えば、図中５０４に示す例では、対応するコンテンツファイルが読み取り不可であることを示している。
【００６２】
このような構成により、一覧表示画面５００は、コンテンツファイルに関する付加情報をユーザに提示する。
【００６３】
次に、上記実施の形態にかかるファイル管理装置１１１の動作について図６、図７のフローチャートを用いて詳細に説明する。
【００６４】
ファイル管理装置１１１が、外部メモリ検出部１１２において、外部メモリ１０８が装着されたことを検出すると（ＳＴ６０１）、一覧情報生成部１１５が、外部メモリ１０８コンテンツファイル一覧２００を取得し（ＳＴ６０２）、コンテンツファイル一覧２００の中からファイル名２０１をひとつ取り出す（ＳＴ６０３）。
【００６５】
これにより、外部メモリ１０８が挿されたタイミング、つまりコンテンツファイルに関する情報を取得した時点で、正しい付加情報付一覧を生成することが可能となる。
【００６６】
次に、一覧情報生成部１１５は、外部メモリ１０８の“C：￥ｔｅｍｐ”ディレクトリ内にある付加情報一覧３００を取得し（ＳＴ６０４）、付加情報一覧３００にＳＴ６０３において抽出したファイル名２０１と同じファイル名２０１があるか判断する（ＳＴ６０５）。
【００６７】
次に、一覧情報生成部１１５は、付加情報一覧３００にＳＴ６０３において抽出したファイル名２０１と同じファイル名２０１がある場合には、コンテンツファイル一覧２００のファイル名２０１にファイル名２０１に対応するｐｏｉｎｔｅｒ４０６に欄に対応する付加情報項目へのパスを記述する（ＳＴ６０６）。
【００６８】
一方、付加情報一覧３００にＳＴ６０３において抽出したファイル名２０１と同じファイル名２０１が無い場合には、一覧情報生成部１１５は、コンテンツファイル一覧２００のファイル名２０１に対応するｐｏｉｎｔｅｒ４０６の部分に付加情報の無い旨の記述をする（ＳＴ６０７）。
【００６９】
そして、一覧情報生成部１１５は、コンテンツファイル一覧２００に取り出していないファイル名２０１が無くなるまで、ＳＴ６０３〜ＳＴ６０９の処理をし、付加情報付一覧１１６を生成し（ＳＴ６０８）、記憶部１０４に保存する（ＳＴ６０９）。
【００７０】
このように、コンテンツ管理装置１１１は、コンテンツファイル一覧２００に付加情報が付与された付加情報付一覧１１６を生成する。
【００７１】
また、実際に存在するコンテンツファイルに対してのみ付加情報を付与するので、コンテンツファイルが無いのに付加情報だけがあるという不整合が無くなる。
【００７２】
ファイル管理装置１１１は、一覧表示画面５００の表示処理に移行する。
【００７３】
まず、ファイル管理装置１１１は、記憶部１０４を参照し、付加情報付一覧１１６を取得する（ＳＴ７０１）。
【００７４】
次に、ファイル管理装置１１１は、一覧情報出力部１１７において、付加情報付一覧１１６の中からファイル情報をひとつ取り出す（ＳＴ７０２）。
【００７５】
次に、一覧情報出力部１１７は、付加情報付一覧１１６からＳＴ７０２において取り出したファイル情報に対応する拡張子２０２および種別情報２０４を取り出す。次に、一覧情報出力部１１７は、取り出した拡張子２０２および種別情報２０４に対応したアイコンを生成する（ＳＴ７０３）。
【００７６】
一覧情報出力部１１７は、付加情報付一覧１１６にＳＴ７０２において抽出したファイル名２０１に対応するｐｏｉｎｔｅｒ４０６があるか判断する（ＳＴ７０４）。
【００７７】
次に、一覧情報出力部１１７は、付加情報付一覧１１６にＳＴ７０２において抽出したファイル情報に対応するｐｏｉｎｔｅｒ４０６がある場合には、ｐｏｉｎｔｅｒ４０６に記述したパスを用いて付加情報一覧３００から、ＳＴ７０２において抽出したファイル情報に対応するタイトル名３０５を取得する（ＳＴ７０５）。
【００７８】
一方、付加情報付一覧１１６にＳＴ７０２において抽出したファイル情報に対応するｐｏｉｎｔｅｒ４０６が無い場合には、一覧情報出力部１１７は、デフォルト（例えば「無題」）を取得する（ＳＴ７０６）。
【００７９】
そして、一覧情報出力部１１７は、付加情報付一覧１１６に取り出していないファイル情報が無くなるまで、ＳＴ７０２〜ＳＴ７０６の処理をする（ＳＴ７０７）。
【００８０】
次に、一覧情報出力部１１７は、取得したファイル情報に対応するファイル番号５０１、生成した拡張子２０２および種別情報２０４に対応するアイコン５０５、５０４、取得したタイトル名３０５をタイトル名５０３として、一覧表示画面５００を生成し、表示部１０６に表示する（ＳＴ７０８）。
【００８１】
このように、ファイル管理装置１１１は、付加情報付一覧１１６を用いて、一覧表示画面５００を生成し、表示する。
【００８２】
また、一覧表示画面５００は、付加情報付一覧１１６を元に作られている。つまり、一覧表示画面５００には、実際に存在するコンテンツファイルとそれに対する付加情報を表示するので、コンテンツファイルが実在しない付加情報（例えば、図３におけるファイル情報４）については、ユーザに表示することが無い。
【００８３】
さらに、付加情報の存在しないコンテンツファイル（図２におけるＰ１０００００４．ＪＰＧ）については、デフォルトのタイトルを付与することが可能になる。
【００８４】
このように、一覧表示画面５００は、コンテンツファイル一覧２００もしくは付加情報一覧３００のどちらか一方を参照するのでなく、両方を関連付けることで、付加情報の付与された正しいコンテンツファイルに関する一覧を提示することが可能となっている。
【００８５】
次に、一覧表示画面５００を見たユーザが入力部１０５を操作することにより、所望のコンテンツ名２０１を選択した場合（ＳＴ７０９）、コンテンツ出力部１１８は、外部メモリ１０８から選択されたコンテンツ名２０１に対応するコンテンツファイル１０９を抽出し、表示部１０６に表示する（ＳＴ７１０）。
【００８６】
このように、ユーザは、コンテンツファイルの内容に関する情報である付加情報を参照することにより、コンテンツファイルの内容を把握でき、内容を把握した上でコンテンツファイルを選択できる。
【００８７】
また、一覧情報表示画面５００には、実際に存在するコンテンツファイルに対してのみ表示するので、ユーザは実在するコンテンツファイルのみ選択することが可能になる。
【００８８】
また、付加情報の存在しないコンテンツファイル（図２におけるＰ１０００００４．ＪＰＧ）についても、デフォルトのタイトルを付与した状態で表示し、ユーザに選択することを可能としている。つまり、コンテンツファイル一覧２００と付加情報一覧３００との整合性が取れていない場合について、コンテンツファイルを閲覧することができる。
【００８９】
以上説明したように、本実施の形態によれば、コンテンツファイルと付加情報に不整合があった場合でも、コンテンツファイル一覧２００と、付加情報一覧３００のどちらも参照し、不整合のある旨の情報も付加情報付一覧１１６に付与することにより、正しく付加情報付一覧１１６を生成できる。この結果、ユーザは、正しくコンテンツファイルを閲覧することができる。
【００９０】
なお、上記実施の形態では、コンテンツファイル一覧２００と、付加情報一覧３００を外部メモリ１０８に格納した形態で説明したが、コンテンツファイル一覧２００と、付加情報一覧３００と無線などを用いて取得し、記憶部１０４に付加情報付一覧１１６と共に格納する形態であってもよい。また、コンテンツファイル一覧２００と、付加情報一覧３００をネットワークにおいて情報保管する形態であっても良い。
【００９１】
また、一覧表示画面５００に表示するコンテンツファイルに関する情報を、ファイル名２０１順に並べても、タイトル名５０３順に並べても、ファイル種別順に並べても、更新日時２０３順に並べるなど、コンテンツファイル一覧２００や付加情報一覧３００の情報により並べ替えても良い。
【００９２】
また、上記実施の形態では、外部メモリ１０８が装着されたことを検知し、そのタイミングで付加情報付一覧１１６を生成したが、ユーザがコンテンツファイル一覧２００にアクセスしたタイミングや、携帯電話１００に対して何らかの操作をしたタイミングで生成しても良い。ただし、携帯電話１００のように処理能力に限りのある装置の場合には、ユーザがコンテンツファイルの参照を行おうとする前に付加情報付一覧を生成しておくことが好ましい。
【産業上の利用可能性】
【００９３】
以上のように本発明によれば、コンテンツ一覧と付加情報一覧を関連付けて、付加情報の付与された正しい付加情報付一覧を出力できるという効果を有する。また、本発明は、携帯電話だけでなく、ファイル管理をする装置全てに適応できる。
【図面の簡単な説明】
【００９４】
【図１】本発明の実施の形態１にかかる携帯電話の構成を示すブロック図
【図２】本実施の形態にかかるコンテンツファイル一覧を示す図
【図３】本実施の形態にかかる付加情報一覧を示す図
【図４】本実施の形態にかかる付加情報付一覧を示す図
【図５】本実施の形態にかかる一覧表示画面を示す図
【図６】本実施の形態にかかるファイル管理装置の第１の動作フローチャート
【図７】本実施の形態にかかるファイル管理装置の第２の動作フローチャート
【符号の説明】
【００９５】
１００  携帯電話
１０５  入力部
１０６  表示部
１０８  外部メモリ
１０９  コンテンツファイル
１１０  付加情報
１１１  ファイル管理装置
１１２  外部メモリ検出部
１１５  一覧情報生成部
１１６  付加情報付一覧
１１７  一覧情報出力部
１１８  コンテンツ出力部
２００  コンテンツファイル一覧
３００  付加情報一覧
５００  一覧表示画面
【図１】
2005346504.tif 000003
【図２】
2005346504.tif 000004
【図３】
2005346504.tif 000005
【図４】
2005346504.tif 000006
【図５】
2005346504.tif 000007
【図６】
2005346504.tif 000008
【図７】
2005346504.tif 000009